(57)【要約】      （修正有）【課題】手を煩わせることなく、構成する部品点数を増やすことなく、その時々の気分や必要に応じて、見たい絵はがき、写真又は名刺に簡単に置き換えできる絵はがき等の卓上支持具を提供する。【解決手段】シンプルがベストという技術思想に基づき、絵はがき等を立てかけるために複数列からなる凹溝１０を設ける卓上支持具１であって、この凹溝は、絵はがき等を見やすくするために後列側に傾斜すること、最前列の溝より２列目以降の凹溝を深くすることにより、最前列の絵はがき等が後列の絵はがき等２０を隠し、見たい最前列の絵はがき等を良く見ることができるようにし、更に、印鑑や筆記用具を配置する凹部３０，４０を設ける。【選択図】図５
0003145961.tif 000002
【実用新案登録請求の範囲】
【請求項１】
絵はがき等を立てかけるために複数列からなる凹溝を有することを特徴とする絵はがき等の支持具。
【請求項２】
絵はがき等を全体的に後列側に傾倒させるように凹溝を傾斜させたことを特徴とする請求項１記載の支持具。
【請求項３】
最前列の凹溝に比し２列目以降の凹溝を深くしたことを特徴とする請求項１又は２記載の支持具。
【請求項４】
上面に印鑑を配置する凹部及び筆記用具を配置する凹部を設けたことを特徴とする請求項１、２又は３記載の支持具
【請求項５】
絵はがき等を前列または後列側に自在に傾倒できるようにしたことを特徴とする請求項１記載の支持具。
【考案の詳細な説明】
【技術分野】
【０００１】
本考案は、絵はがき、写真、名刺等（これらを総称して絵はがき等という。）を立てかけるための卓上支持具に関するものである。
ここでいう卓は、机、テーブルより広義に用い、玄関に配置される靴箱や箪笥等を含むものである。
【背景技術】
【０００２】
従来、例えば写真立てにおいては、装飾立板と完成品としての額を別個に構成して、装飾立板と額の組合せを自由に行うことができる技術がある。
【０００３】
例えば、登録新案第３０１３６４３号公報である。
【考案の開示】
【考案が解決しようとする課題】
【０００４】
しかし上記の技術では、装飾立板と額を別個に買わなければならない煩雑さがある。また、飾る写真等を他の写真等に変える場合にも手間がかかってしまう。
本考案はかかる問題を一掃し、立てかけてある絵はがき等の中から適宜選んで、見たり鑑賞することができるようにした卓上支持具を提供することを目的とするものである。
【課題を解決するための手段】
【０００５】
上記目的を達成するために，本考案である卓上支持具は、絵はがき等を立てかけるために複数列からなる凹溝を有することを特徴とする。
また、絵はがき等を全体的に後列側に傾倒させるように凹溝を傾斜させたことを特徴とする。
また、最前列の凹溝に比し２列目以降の凹溝を深くすることを特徴とする。
また、上面に印鑑を配置する凹部及び筆記用具を配置する凹部を設けたことを特徴とする。
さらに、絵はがき等を前列または後列側に自在に傾倒できるようにすることもできる。
【考案の効果】
【０００６】
請求項１記載の本考案によれば、予め手元に置いておきたい複数の絵はがき等を１つの凹溝に少なくとも複数枚立てることができるから、見たいものを手元にストックしておくことができる。
その上でその時々の気分や必要度に応じて差し換えて最前列に置いた絵はがきや写真を見たり鑑賞することができる。また複数の絵はがき等の中の１枚を最前列に容易に立てかけることができるから、見たいものを簡単に変更することができる。
【０００７】
絵はがき、写真等を立てかけるための請求項２記載の本考案によれば、デスクに座って見るときに視線の角度とほぼ直角になり絵はがき等が見やすくなる。
【０００８】
請求項３記載の本考案によれば、前面から見たときに最前列の絵はがき等が後列の絵はがき等を見えなくするため、最前列にあるものだけを見ることができる。
【０００９】
請求項４記載の本考案によれば、上面に印鑑を配置する凹部及び筆記用具を配置する凹部を設けたことにより、例えば、卓上で事務作業をする場合は勿論、あるいは玄関の靴箱の上に置き、書留郵便、宅配便等を受け取る場合の押印又は署名（サイン）の際に便利である。
【００１０】
請求項５記載の本考案によれば、凹溝を傾斜させたり深さを列間で変えたりすることなく請求項２または３記載の本考案と同等の効果を得ることができる。
【考案を実施するための最良の形態】
【００１１】
以下，本考案の実施の形態を図面に基づいて説明する。
図１は本考案の第１実施例の斜視図であって、１は卓上支持具である。卓上支持具１の上面１ｄには両側面１ｂ、１ｂ間に複数の凹溝１０（本実施例では１０ａ〜１０ｅの５本の凹溝）が刻設されている。ここで本図における卓上支持具１の右側を正面とするので凹溝１０ａが最前列の凹溝となる。
凹溝１０の各溝１０ａ〜１０ｅの幅は例えば葉書や写真が数枚入れるに十分な1ｍｍ程度とするが、もとよりこれに限定されるものではない。またこれらの溝幅は基本的には同一とするが必ずしも同一幅である必要性もない。
また各溝１０ａ〜１０ｅの間隔も同一とするのが好ましいが、必ずしもこれに限定されるものではない。
また卓上支持具１は外観形状を角棒を横にしたようにして使用しているが、その他の形状にしてもよい。
【００１２】
なお、卓上支持具１の材質は、木製の他樹脂性であってもよく、さらにアルミ押出し成型等の金属性部材でもよい。大きさについても特に指定しない。
【００１３】
図２は卓上支持具１の側面図である。矩形の側面形状になっているのは第１実施例では角棒を使用しているからである。
ここで凹溝１０は各溝の底部より上面１ｄ側が卓上支持具１の背面１ｃ側に傾斜状になっている。
最前列の凹溝１０ａは２列目以降の凹溝１０ｂ〜１０ｅより浅くしてある。
また卓上支持具１の正面（前面）側１ａの上面１ｄコーナー部はＲ状に面取りをしてある。卓上支持具１における正面側１ａであることを明確にするためと、美的処理を施したためである。
【００１４】
図３は卓上支持具１の他の実施例（第２実施例）であって、外観形状を膨出状の湾曲にしたときの側面図である。
湾曲頂部に沿って最前列の凹溝１０ａを刻設することによって２列目以降の凹溝１０ｂ〜１０ｅの面部が次第に下がるから凹溝１０ａの深さを第１実施例のような浅くする必要がなくなる。
【００１５】
図４は卓上支持具１の他の実施例（第３実施例）である。卓上支持具１は絵はがき等を立てかける支持部２と台座３とで構成されている。支持部２の湾曲凹部２ａは台座３の軸部３ａと包覆嵌合して支持部２が軸部３ａを中心として図の矢印のいずれの方向にも回動できるようになっている。
【００１６】
第３実施例においては、最前列の凹溝１０ａを２列以降の凹溝１０ｂ等より浅くする必要がない。支持部２を適宜角度まで回動させることによって最前列の絵はがき等を見たときに視覚の角度とほぼ直角になるように調節が簡単にできるからである。
【００１７】
図５は第１実施例に基づく卓上支持具１の使用例を示した斜視図である。卓上支持具１の複数の凹溝１０には絵はがき等２０（２０ａ〜２０ｅ）である複数の絵はがき等が差し入れてある。
ここでこれらの絵はがき等２０を任意にいずれかの凹溝１０に差し入れしたとしても、引き出して最前列の凹溝１０ａに差し込むようにすればよい。またそのとき最前列の凹溝１０ａに絵はがき等２０が一杯であるときは、２列以降の凹溝１０ｂ等へ現在見る必要のない絵はがき等２０を移せばよい。
【００１８】
絵はがき等２０の高さがある程度不揃いであっても、最前列の凹溝１０ａが２列以降の凹溝１０ｂ等より浅いので凹溝１０ａに立てかけた絵はがき等２０が目隠しの役目を果たす。
【００１９】
また複数の凹溝１０は後列側に傾斜しているので、デスクに座って最前列の絵はがき等２０を見たときに視覚の角度とほぼ直角になり見やすくなる。
【００２０】
なお、この使用例では、上面に印鑑を配置する凹部３０及び筆記用具を配置する凹部４０を付設している。これにより、卓上で事務を執る場合は勿論、あるいは玄関の靴箱の上に置き、書留郵便、宅配便等を受け取る場合の押印又は署名（サイン）の際に便利である。
【図面の簡単な説明】
【００２１】
【図１】本考案の一実施例である卓上支持具の第１実施例の斜視図である。
【図２】第１実施例の側面図である。
【図３】卓上支持具の他の実施例（第２実施例）の側面図である。
【図４】卓上支持具の他の実施例（第３実施例）の側面図である。
【図５】第１実施例の使用例を示した斜視図である。
【符号の説明】
【００２２】
１    卓上支持具
２    支持部
３    台座
１０  凹溝
２０  絵はがき等
【図１】
0003145961.tif 000003
【図２】
0003145961.tif 000004
【図３】
0003145961.tif 000005
【図４】
0003145961.tif 000006
【図５】
0003145961.tif 000007